(57)【要約】【課題】  印刷された複数枚の静止画をすばやくめくることで、動画を再生することができる印刷装置および該印刷装置を使用したサービスを提供することを目的とする。【解決手段】  複数の動画が置かれたサーバー１０１をネットワーク１０４上に用意し、該動画をダウンロードして、動画をサンプリングして複数枚の静止画に変換し、変換した静止画をプリンタ１０２により印刷する動画印刷システムであり、印刷枚数およびサンプリングレートに応じてユーザーに対して課金を行うようにする。【選択図】      図１
2005088533.tif 000002
【特許請求の範囲】
【請求項１】
ネットワークに接続されたサーバーに蓄積された動画ファイルの各フレームを読み出す読み出し手段と、
上記各フレームをシート状の媒介に印刷する印刷手段とを備え、
上記印刷手段により印刷された媒介をすばやくめくることで、人間が動きを認識する事が出来る印刷物を出力することを特徴とする動画印刷システム。
【請求項２】
上記シート状の媒介に切断のための切り取り線を印刷する事を特徴とする請求項１記載の動画印刷システム。
【請求項３】
上記シート状の媒介に切断のためのミシン目を形成する事を特徴とする請求項１記載の動画印刷システム。
【請求項４】
上記シート状の媒介を束にして用い、上記束の一部がつながっている事を特徴とする請求項１記載の動画印刷システム。
【請求項５】
上記動画ファイルは圧縮されていることを特徴とする請求項１記載の動画印刷システム。
【請求項６】
上記サーバーに蓄積された動画ファイルの印刷をした際に、ユーザーに対して課金することを特徴とする請求項１記載の動画印刷システム。
【請求項７】
印刷枚数が増えるほど料金が高くなることを特徴とする請求項６記載の動画印刷システム。
【請求項８】
再生時の時間当たりの枚数が増えるほど料金が高くなることを特徴とする請求項６記載の動画印刷システム。
【請求項９】
ユーザーが上記サーバーに動画ファイルの蓄積をした際に課金することを特徴とする請求項１記載の動画印刷システム。
【請求項１０】
動画が両面に印刷されることを特徴とする請求項１記載の動画印刷システム。
【請求項１１】
上記動画が両面に印刷される際に、裏側に相当する部分は、印刷の順番を逆転することを特徴とする請求項１０記載の動画印刷システム。
【請求項１２】
動画の近傍に動画の順番を示す通し番号を備えることを特徴とする請求項１記載の動画印刷システム。
【請求項１３】
表面を表面のコマ通し番号順に切り取った後の紙を並べた際に、表面のコマ通し番号と逆順に裏面のコマ通し番号が印刷されるように、動画の順番を示す裏面の通し番号を決めてレイアウトすることを特徴とする請求項１記載の動画印刷システム。
【請求項１４】
動画印刷のための設定を備えることを特徴とする請求項１記載の動画印刷システム。
【発明の詳細な説明】
【技術分野】
【０００１】
本発明は、動画印刷システムに関し、特にネットワークに接続され、動画を印刷する機能を持つ印刷装置、及び、動画データを保存するネットワークサーバーを含んだシステムに関する。
【背景技術】
【０００２】
従来、動画情報をデジタル静止画情報に変換し、該デジタル静止画情報をプリンタに送り印刷するビデオプリンタと言われる印刷装置があった。
また他に、パソコンと接続しパソコン上の静止画ファイルを印刷するプリンタがあった。
【発明の開示】
【発明が解決しようとする課題】
【０００３】
印刷できるのは静止画であり、動画の印刷は出来なかった。
ビデオプリンタは、ビデオ信号をサンプリングし、ビデオ信号の１場面を静止画として記録する機能しか持たず、動画を紙に印刷することはできなかった。
パソコンと接続されたプリンタは、静止画のデータを元に静止画を印刷する機能しか持たなかった。
【０００４】
本発明は紙上に動画（人間が動きを感じられる画）を印刷することを第一の目的とする。
また、動画を再生するために、VTRやテレビジョンやパーソナルコンピュータといった特別な装置を必要としない印刷装置を実現することを第二の目的とする。
【課題を解決するための手段】
【０００５】
上記課題を達成するために、本発明の動画印刷システムは、ネットワークに接続されたサーバーに蓄積された動画ファイルの各フレームを読み出す読み出し手段と、上記各フレームをシート状の媒介に印刷する印刷手段とを備え、上記印刷手段により印刷された媒介をすばやくめくることで、人間が動きを認識する事が出来る印刷物を出力することを特徴とする。
【０００６】
これにより、ぱらぱら漫画のように、印刷された複数枚の静止画をすばやくめくることで、人間の目の残像を利用して、特別な装置なしに動画を再生することができる印刷装置および該印刷装置を使用したサービスを提供できる。
【発明の効果】
【０００７】
本発明によれば、動画を複数枚の静止画にして紙上に印刷することで動画を紙上に記録できるサービスを提供できる。
【発明を実施するための最良の形態】
【０００８】
図１は、複数の動画が置かれたサーバーをネットワーク上に用意し、該動画をダウンロードして複数枚の静止画を印刷するシステムの構成を説明した図である。
【０００９】
図１において、１０１は動画が格納されたサーバー、１０２はプリンタ、１０３は動画をサーバーに格納する機能を持った端末、１０４はサーバーとプリンタと端末とを接続したネットワーク、１０５はサーバー１０１が持つ記憶装置、１０６はサーバーに接続された金融機関のコンピュータであり、信用情報の照会や支払い業務の依頼のために電話回線やネットワークや専用線を用いて接続されている。
【００１０】
図１のシステムの動作を説明する。ユーザーが端末１０３に格納された動画を、ネットワーク１０４を介してサーバー１０１の記憶装置１０５に格納する。サーバーに格納された動画を、動画を格納したユーザーまたは他のユーザーがプリンタ１０２を用いて複数の静止画として印刷する。
【００１１】
また、サーバー１０１に格納された動画は、画像毎に画像を格納したユーザーのＩＤ、画像格納日、データサイズ、画像タイトル、画像の説明を付加して記憶装置１０５に記憶される。タイトル、説明は必要に応じてユーザーが入力する。
【００１２】
サーバー１０１に格納された動画は、画像毎にセキュリティの設定がされ、そのセキュリティレベルとして、画像を格納したユーザーのみがアクセス可能な第一のセキュリティレベルと、画像を格納したユーザーが許可したユーザーグループのみがアクセス可能な第二のセキュリティレベルと、誰でもアクセスが出来る第三のセキュリティレベルの設定がある。
【００１３】
それぞれのセキュリティレベルは、画像の閲覧、画像の印刷、画像の消去の動作についてそれぞれ独立に設定される。画像の閲覧、画像の印刷、画像の消去に対するセキュリティレベルの変更は、画像を格納したユーザーによって行われ、必要に応じて他のユーザーにセキュリティレベルの変更を許可する。サーバーの管理者は、画像の閲覧、画像の印刷、画像の消去全てを許されている。
【００１４】
動画をサーバー１０１に格納したときに、データサイズに応じて料金が発生する。
ユーザーがサーバー１０１にアクセスするために認証を必要とする。ユーザーはサーバーにアクセスする前に、ユーザーの連絡先と、ユーザーの金融機関口座番号またはクレジットカード番号の登録を行う。動画をサーバーに格納したときには、その情報がもとになって前記料金が金融機関のインターフェース１０６を通じて金融機関またはクレジットカードより回収される。
【００１５】
また、画像の出力を行うユーザーは会員登録の必要がなく、プリンタで印刷した際に、プリンタでカウントした印刷枚数に応じて印刷した場で料金を支払う。
【００１６】
例えば、印刷枚数１０枚の方が印刷枚数２０枚のものよりも料金を安く設定する。
図２は、プリンタの構成を説明するための図であり、図２において、２００はプリンタ全体、２０１はネットワーク１０４に接続し動画を受け取るためのインターフェース、２０２は動画を静止画に変換する装置、２０３はプリントの前処理装置、２０４が紙固定機構を有するプリンタ装置である。
【００１７】
２０１では、数枚の紙に少なくとも１枚以上の静止画（コマ）を割り付けて印刷する。２０３では、静止画にした後に、印刷に適した解像度変換（拡大縮小）、色空間変換、回転、用紙レイアウト、後で説明するコマ通し番号、切り取り線の処理を行う。
【００１８】
２０４のプリンタ装置は、紙に印刷できるものなら何でも良い。ただし、印刷したその場で料金を回収する仕組みを備える事と、両面印刷が出来る事と、ステップラーを備える事から、レーザープリンタを使うのが最も簡単である。
【００１９】
動画はMPEG、ShockWave(TM)、QuickTime(TM)、Windows（Ｒ）MediaVideo(TM)といったコンピュータ上で動画を扱うためにエンコード（圧縮）されたフォーマットで書かれている。コンピュータ上で再生する時と同様に、２０２でデコードを行うことで、秒間３０枚または６０枚の静止画（フレーム）に変換できる。そして、フレームを間引いて、印刷のための静止画（コマ）として少なくとも複数枚サンプリング（記憶）し、記憶したコマを印刷する。手でめくる速度に限界があるため、再生時は１秒あたり１０〜３０コマが適切である。
【００２０】
図３は、秒間３０フレームの動画を秒間１０コマで印刷したものであり、３フレームを１コマに間引き、１枚の紙に１コマの静止画を印刷した例である。３１０がフレームであり、３２０は２０２によってフレームをサンプリングしたコマであり、３３０は３２０を印刷したコマである。
【００２１】
３３１はコマ通し番号であり、１コマ目から順に番号を割り振ったものである。コマの通し番号を各コマの近傍に印刷し、並べ易くするのが望ましい。
【００２２】
図４に示す４００は図３をめくりやすいように束ねたものであり、４０１は用紙がずれないように固定した部分であり、用紙の固定されてない右側部分をすばやくめくることで人間の残像利用して動画を再生できる。
【００２３】
図４に示したように、紙の一部を固定したほうがめくりやすい。
それを実現するために紙の中心に印刷されるのではなく、紙を固定していない側によせて印刷するか、紙の角に印刷するのが望ましい。図４では、用紙の固定を左側で行い、右でめくった例にすぎず、用紙の束を固定する部分は用紙の上下左右斜め中央、どこでもかまわない。
【００２４】
プリンタ２００は簡易製本機能があるのが望ましい。図２にあるようにプリンタ２００は、紙固定機構、例えばステープラーを備え、紙を印刷した後に、紙をステープルすることにより用紙の一部を固定する。
ここで、簡易製本機能をステープルで説明したがこれはステープルに限ったもので無く、印刷した紙の束を固定できるものならばいかなる手段でもかまわない。
【００２５】
印刷は片面のみに印刷される。両面印刷が可能なプリンタ２００であっても、１つの動画の連続するコマを両面印刷すべきではない。その理由は、用紙をすばやくめくる動作では、紙の両面が連続画像として人間が認識できないためである。両面印刷モードに設定されていた場合でも、片面印刷を行うのが望ましい。または、両面印刷を設定不可能にするのが望ましい。
【００２６】
ただし、表裏に印刷された静止画が連続のコマでない場合はその限りではなく、用紙節約の為に、別の動画や続きの動画を両面で印刷することがむしろ望ましい。
【００２７】
両面印刷を行う場合は、２つの動画を指定して両面印刷を行う。１つ目の動画が表面、２つ目の動画が裏面として印刷される。表面を表面のコマ通し番号順に切り取った後の紙を並べた際に、表面のコマ通し番号と逆順に裏面のコマ通し番号が印刷されるように裏面をレイアウトする。
【００２８】
表面のコマ数がｍ、裏面のコマ数がｎとすると、切り取り後の枚数は、ｍかｎのどちらか大きい方になり、ｍがｎよりも大きい場合、表面ｉ番目のコマの裏は、ｉ＞ｍ−ｎの場合、ｍ＋１−ｉとなり、ｎがｍよりも大きい場合、表面ｉ番目のコマの裏は、ｉ＞ｎ−ｍの場合、ｎ＋１−ｉとなる。
【００２９】
表裏４コマの動画を印刷した例を図５に示す。５０１は表面の１コマ目かつ裏面４コマ目、５０２は表面の２コマ目かつ裏面３コマ目、５０３は表面の３コマ目かつ裏面２コマ目、５０４は表面の４コマ目かつ裏面１コマ目である。
【００３０】
図５において、表面は５０１、５０２、５０３、５０４の順番に再生するが、裏面を再生する際は、５０４、５０３、５０２、５０１の順に再生する。５１１は５０１を説明のために抜き出した表面１コマ目であり、５１２は５１１の裏面を示した裏面の４コマ目であり、点線で示した部分は紙の同一の頂点を表す。
【００３１】
プリンタ２００は、以上説明した設定をまとめて設定する動画印刷設定モードを設置するのが望ましい。
【００３２】
図６は、一枚の紙に９コマを印刷した例である。６００が９つのコマが印刷された紙であり、６１０が１番目のコマである。これをユーザーが切り取って、図４に示した形にして動画の再生を行う。
【００３３】
６０１は用紙を切り取りやすいように、切り取りの際の目安となる切り取り線であり、画像の印刷と同時に用紙に印刷するのが望ましい。切り取り線の代わりに用紙にミシン目を形成すればなお良い。
【００３４】
また、画像の出力を行うユーザーは、動画から静止画へのサンプリングレートに応じて料金が異なる。秒間コマ数が多いほどが高い料金を支払うが、動画の動きはスムーズになり、理に合う。例えば、秒間３０フレームの動画を秒間１０コマで印刷したものの方が、秒間２０コマで印刷したものよりも、動作がコマ送り的になり、料金を安く設定する。
【００３５】
以下に本発明の特徴を付記する。
（附記１）  ネットワークに接続されたサーバーに蓄積された動画ファイルの各フレームを読み出す読み出し手段と、
上記各フレームをシート状の媒介に印刷する印刷手段とを備え、
上記印刷手段により印刷された媒介をすばやくめくることで、人間が動きを認識する事が出来る印刷物を出力することを特徴とする動画印刷システム。
【００３６】
（附記２）  上記シート状の媒介に切断のための切り取り線を印刷する事を特徴とする附記１記載の動画印刷システム。
【００３７】
（附記３）  上記シート状の媒介に切断のためのミシン目を形成する事を特徴とする附記１記載の動画印刷システム。
【００３８】
（附記４）  上記シート状の媒介を束にして用い、上記束の一部がつながっている事を特徴とする附記１記載の動画印刷システム。
【００３９】
（附記５）  上記動画ファイルは圧縮されていることを特徴とする附記１記載の動画印刷システム。
【００４０】
（附記６）  上記サーバーに蓄積された動画ファイルの印刷をした際に、ユーザーに対して課金することを特徴とする附記１記載の動画印刷システム。
【００４１】
（附記７）  印刷枚数が増えるほど料金が高くなることを特徴とする附記６記載の動画印刷システム。
【００４２】
（附記８）  再生時の時間当たりの枚数が増えるほど料金が高くなることを特徴とする附記６記載の動画印刷システム。
【００４３】
（附記９）  ユーザーが上記サーバーに動画ファイルの蓄積をした際に課金することを特徴とする附記１記載の動画印刷システム。
【００４４】
（附記１０）  動画が両面に印刷されることを特徴とする附記１記載の動画印刷システム。
【００４５】
（附記１１）  上記動画が両面に印刷される際に、裏側に相当する部分は、印刷の順番を逆転することを特徴とする附記１０記載の動画印刷システム。
【００４６】
（附記１２）  動画の近傍に動画の順番を示す通し番号を備えることを特徴とする附記１記載の動画印刷システム。
【００４７】
（附記１３）  表面を表面のコマ通し番号順に切り取った後の紙を並べた際に、表面のコマ通し番号と逆順に裏面のコマ通し番号が印刷されるように、動画の順番を示す裏面の通し番号を決めてレイアウトすることを特徴とする附記１記載の動画印刷システム。
【００４８】
（附記１４）  動画印刷のための設定を備えることを特徴とする附記１記載の動画印刷システム。
【図面の簡単な説明】
【００４９】
【図１】動画サーバーから動画をダウンロードして印刷するシステムの構成図である。
【図２】プリンタの構成を説明するための図である。
【図３】秒間３０フレームの動画を秒間１０コマで印刷した例を説明するための図である。
【図４】図３の動画をめくりやすいように束ねた例を説明するための図である。
【図５】表裏４コマの動画を両面印刷した例を示した図である。
【図６】一枚の紙に９コマを印刷した例を示した図である。
【符号の説明】
【００５０】
１０１  動画が格納されたサーバー
１０２  プリンタ
１０３  動画をサーバーに格納する機能を持った端末
１０４  サーバーとプリンタと端末を接続したネットワーク
１０５  サーバーが持つ記憶装置
１０６  金融機関のサーバー
２００  プリンタ全体
２０１  ネットワークに接続し動画を受け取るためのインターフェース
２０２  動画を静止画に変換する装置
２０３  プリントの前処理装置
２０４  プリンタ装置
【図１】
2005088533.tif 000003
【図２】
2005088533.tif 000004
【図３】
2005088533.tif 000005
【図４】
2005088533.tif 000006
【図５】
2005088533.tif 000007
【図６】
2005088533.tif 000008